(57)【要約】【課題】内部部材とカバー部材との間に隙間が生じることを防止することができるシャワーフックを提供する。【解決手段】フック部２１を有する内部部材２と、フック部２１を露出させた状態で内部部材２を覆うカバー部材５と、を備え、カバー部材５は、フック部２１が設けられている側から内部部材２に装着される。内部部材２およびカバー部材５は、内部部材２にカバー部材５が装着された状態で壁面（固定箇所）１１に固定された固定部材６とそれぞれ係合可能に構成されている。【選択図】図１
2015135016.tif 000002
【特許請求の範囲】
【請求項１】
フック部を有する内部部材と、前記フック部を露出させた状態で前記内部部材を覆うカバー部材と、を備え、
前記カバー部材は、前記フック部が設けられている側から前記内部部材に装着されることを特徴とするシャワーフック。
【請求項２】
前記内部部材および前記カバー部材の少なくとも１つは、前記内部部材に前記カバー部材が装着された状態で固定箇所に固定された固定部材と係合可能に構成されていることを特徴とする請求項１に記載のシャワーフック。
【請求項３】
前記内部部材は、前記フック部と別に設けられ、該フック部を支持するインナー部を有し、
前記フック部は、前記インナー部に対して角度調整可能に構成されていることを特徴とする請求項１又は２に記載のシャワーフック。
【請求項４】
前記カバー部材と前記内部部材とは、仮固定可能に構成されていることを特徴とする請求項１乃至３のいずれか１項に記載のシャワーフック。
【発明の詳細な説明】
【技術分野】
【０００１】
本発明は、シャワーヘッドを保持するシャワーフックに関する。
【背景技術】
【０００２】
従来、浴室などにおいてシャワーヘッドを保持するシャワーフックは、シャワーヘッドを保持可能なフック部を有する内部部材と、フック部を露出させた状態で内部部材を覆うカバー部材と、を備えている。
このようなシャワーフックは、例えば浴室の壁面などの固定箇所に固定される側を後側とすると、前側にフック部が設けられていて、内部部材に対して後側からカバー部材が装着されている（例えば、特許文献１参照）。
【先行技術文献】
【特許文献】
【０００３】
【特許文献１】特開２００２−７００９７号公報
【発明の概要】
【発明が解決しようとする課題】
【０００４】
しかしながら、従来のシャワーフックでは、内部部材の後側からカバー部材が装着されるため、カバー部材が内部部材の前側を覆うことができず、内部部材とカバー部材との間に隙間が生じてしまい、この隙間から水や石鹸が入り込みやすく内側が汚れてしまう虞があるとともに、見栄えが良くないという問題がある。
【０００５】
本発明は、上述する問題点に鑑みてなされたもので、内部部材とカバー部材との間に隙間が生じることを防止することができるシャワーフックを提供することを目的とする。
【課題を解決するための手段】
【０００６】
上記目的を達成するため、本発明に係るシャワーフックは、フック部を有する内部部材と、前記フック部を露出させた状態で前記内部部材を覆うカバー部材と、を備え、前記カバー部材は、前記フック部が設けられている側から前記内部部材に装着されることを特徴とする。
【０００７】
本発明では、カバー部材は、フック部が設けられている側から内部部材に装着されることにより、内部部材のフック部近傍とカバー部材との間に隙間が生じることを防止することができる。例えば、フック部が内部部材の前側に設けられていて、内部部材の後側が浴室の壁面などに支持されている場合、内部部材の前側からカバー部材を装着することにより、内部部材の側面に加えて前側を覆うことができるため、内部部材とカバー部材との間に隙間が生じることを防止することができる。
そして、内部部材とカバー部材との間に隙間が生じることを防止することができることにより、内部部材とカバー部材との間に水や石鹸が入り込みにくくなるとともに、美観に優れたシャワーフックとすることができる。
また、カバー部材が内部部材の側面だけでなくフック部が設けられている側（例えば前側）も覆うことができることにより、従来のシャワーフックよりも内部部材がカバー部材にしっかりと覆われている構造となるため、シャワーフック自体の剛性を高めることができる。
【０００８】
また、本発明に係るシャワーフックでは、前記内部部材および前記カバー部材の少なくとも１つは、前記内部部材に前記カバー部材が装着された状態で固定箇所に固定された固定部材と係合可能に構成されていることが好ましい。
このように構成されていることにより、固定部材との係合によって内部部材およびカバー部材を固定箇所に固定することができるため、内部部材およびカバー部材を固定箇所に容易に固定することができる。
また、カバー部材が内部部材から外れることを防止することができるため、例えば、使用者が不意の動作で固定箇所に固定されたシャワーフックのカバー部材をつかんだとしても、カバー部材が固定箇所から外れる虞がない。
また、内部部材およびカバー部材をそれぞれ固定部材に固定した場合、カバー部材がフック部を支持する必要がないため、カバー部材がフック部を支持する従来のシャワーフックと比べて、カバー部材の薄肉化および軽量化を図ることができる。
【０００９】
また、本発明に係るシャワーフックでは、前記内部部材は、前記フック部と別に設けられ、該フック部を支持するインナー部を有し、前記フック部は、前記インナー部に対して角度調整可能に構成されていることが好ましい。
このように内部部材は、フック部とインナー部とが別に設けられていることにより、フック部およびインナー部をそれぞれ最適な形態に形成することができる。
例えば、インナー部を弾性変形可能な材料で形成し、インナー部がフック部を挟持して支持する形態とすることにより、インナー部がビスなどの固定具を使用せずにフック部を支持することができる。
また、カバー部材が弾性変形してフック部を挟持する従来のシャワーフックと比べて、カバー部材を弾性変形させることがないため、カバー部材がメッキされている場合でも、弾性変形によってメッキが剥がれるという虞がなく、美観を長期に亘って保つことができる。
【００１０】
また、本発明に係るシャワーフックでは、前記カバー部材と前記内部部材とは、仮固定可能に構成されていることが好ましい。
このように構成されていることにより、カバー部材と内部部材とを仮固定した状態で壁面などの取付箇所に容易に取り付ける（固定する）ことができる。
また、工場などでカバー部材と内部部材とを仮固定することにより、カバー部材と内部部材とが離間することがないため、シャワーフックの搬送や保管を容易かつ確実に行うことができる。
また、現場において内部部材とカバー部材とを組み立てる必要がないため、間違って組み立てられる虞がない。
【発明の効果】
【００１１】
本発明によれば、カバー部材は、フック部が設けられている側から内部部材に装着されることにより、内部部材のフック部近傍とカバー部材との間に隙間が生じることを防止することができる。例えば、フック部が内部部材の前側に設けられていて、内部部材の後側が浴室の壁面などに支持されている場合、内部部材の前側からカバー部材を装着することにより、内部部材の側面に加えて前側を覆うことができるため、内部部材とカバー部材との間に隙間が生じることを防止することができる。
そして、内部部材とカバー部材との間に隙間が生じることを防止することができることにより、内部部材とカバー部材との間に水や石鹸が入り込みにくくなるとともに、美観に優れたシャワーフックとすることができる。
また、カバー部材が内部部材の側面だけでなくフック部が設けられている側（例えば前側）も覆うことができることにより、従来のシャワーフックよりも内部部材がカバー部材にしっかりと覆われている構造となるため、シャワーフック自体の剛性を高めることができる。
【図面の簡単な説明】
【００１２】
【図１】本発明の実施形態によるシャワーフックの一例を示す斜視図である。
【図２】シャワーフックの上面図である。
【図３】シャワーフックの前方上側から見た分解斜視図である。
【図４】シャワーフックを示す断面図で、（ａ）は（ｂ）のＡ−Ａ線断面図、（ｂ）は（ａ）のＢ−Ｂ線断面図である。
【図５】シャワーフックの後方上側から見た分解斜視図である。
【発明を実施するための形態】
【００１３】
以下、本発明の実施形態によるシャワーフックについて、図１乃至図５に基づいて説明する。
図１および図２に示すように、本実施形態によるシャワーフック１は、浴室などの壁面（固定箇所）１１に固定されて、シャワーヘッド（不図示）を保持するように構成されている。
本実施形態によるシャワーフック１は、内部部材２と、内部部材２を覆うカバー部材５と、内部部材２を壁面１１に固定可能な固定部材６と、を備えている。
本実施形態では、内部部材２にカバー部材５を仮固定（装着）した状態で、内部部材２およびカバー部材５を固定部材６に固定するように構成されている。
ここで、シャワーフック１が壁面１１に固定されたときの壁面１１側を後側とし、壁面１１の前方側を前側とし、前後方向に直交する水平方向を左右方向として以下説明する。また、各部材の説明における向きは、壁面１１に固定されたときの向きを基準として説明する。
【００１４】
図３乃至図５に示すように、内部部材２は、シャワーヘッドを保持可能なフック部２１と、固定部材６に固定されるとともにフック部２１を支持するインナー部３１と、を有している。フック部２１は、インナー部３１の前側に配されていて、フック部２１とインナー部３１とは別々に形成されている。
フック部２１は、平面における断面形状が前方に開口した略Ｕ字状の所定の高さの部材で、開口した空部２２にシャワーヘッドが嵌合可能に構成されている。
【００１５】
インナー部３１は、本体部３２と、本体部３２の前方に突出するように本体部３２と一体に形成された一対のフック支持部３３，３３と、本体部３２の後方に設けられて固定部材６と嵌合する固定部３４と、を備えている。
一対のフック支持部３３，３３は、弾性変形可能な材料で形成されているとともに、左右方向に所定の間隔をあけるように配されていて、フック部２１を側方から挟持して支持するように構成されている。また、一対のフック支持部３３，３３は、フック部２１を左右方向に延在する軸２３（図３および図４参照）を中心に回動可能に支持している。
【００１６】
図４に示すように、フック部２１の後面には、左右方向に延びる複数の角度調整溝部２４，２４…が回動方向に所定の間隔をあけて形成されている。これらの複数の角度調整溝部２４，２４…は、インナー部３１の本体部３２の前面に形成された角度調整突条３５と嵌合可能に構成されている。
そして、これらの複数の角度調整溝部２４，２４…のうちの１つが角度調整突条３５と嵌合することで、本体部３２（インナー部３１）に対するフック部２１の回動が停止するように構成されている。このとき、角度調整突条３５と嵌合する角度調整溝部２４を選択することにより、インナー部３１に対するフック部２１の角度を段階的に調整できるように構成されている。
【００１７】
図４および図５に示すように、固定部３４は、本体部３２の後面３２ａにおける上側、右側、左側からそれぞれ後方に延びる第１壁部３６を有している。この第１壁部３６は、後方から見て下側が開口した略Ｕ字状となるように形成されている。そして、第１壁部３６の内側には、固定部材６が嵌合可能な空部３７が形成されている。空部３７は、下方から固定部材６がスライドして嵌合するように構成されている。
また、第１壁部３６の後端部には、内側（空部３７側）に突出する第２壁部３８が形成されていて、第１壁部３６の内側には、本体部３２と、第１壁部３６と、第２壁部３８とに囲まれた固定溝部３７ａが形成されている。この固定溝部３７ａは、空部３７の一部を構成していて、固定部材６の固定凸部６１が嵌合可能に構成されている。
【００１８】
また、図３乃至図５に示すように、第１壁部３６のうちの上側の部分には、固定部材６の一対の第１突起部６２，６２（後に詳述する）が挿入可能な一対の第１孔部３９，３９と、固定部材６の第２突起部６３（後に詳述する）が挿入可能な第２孔部４０と、が形成されている。
本実施形態では、一対の第１孔部３９，３９が左右方向に間隔をあけて配置されていて、これらの第１孔部３９，３９の間に、第１孔部３９，３９と間隔をあけて第２孔部４０が配置されている。  
【００１９】
また、本体部３２の側部には、カバー部材５の位置決め突条５５，５５…（後に詳述する）と嵌合可能な複数の位置決め溝部４１，４１…が設けられている。本実施形態では、位置決め溝部４１，４１…は、前後方向に延びていて、本体部３２の左右の側面においてそれぞれ上下方向に間隔をあけて２つずつ４つ設けられている。
また、図４（ｂ）に示すように、本体部３２には、カバー部材５のカバー部材側仮固定用爪部５７，５７…（後に詳述する）と係合可能な内部部材側仮固定用爪部４２が形成されている。
【００２０】
図３乃至図５に示すように、カバー部材５は、前後方向に延在する略円筒状の筒状部５１と、筒状部５１の前方に突出するように筒状部５１と一体に形成された一対の腕部５２，５２と、を有し、前側と後側にそれぞれ開口部５３ａ，５３ｂが形成されている。
一対の腕部５２，５２は、左右に所定の間隔をあけるように配されていて、カバー部材５の前側の開口部５３ａは、筒状部５１の前側で一対の腕部５２，５２の間に形成されている。また、カバー部材５の後側の開口部５３ｂは、筒状部５１の後部に形成されている。
カバー部材５は、内部部材２の前側（フック部２１側）から内部部材２に装着可能で、後側の開口部５３ｂから内部に内部部材２を挿入可能に構成されている。
【００２１】
そして、図４に示すように、カバー部材５の内部に内部部材２が挿入されると、筒状部５１の内側に内部部材２のインナー部３１の本体部３２および固定部３４が位置し、一対の腕部５２，５２の間にインナー部３１のフック支持部３３，３３およびフック部２１が位置するように構成されている。このとき、一対の腕部５２，５２は、一対のフック支持部３３，３３の互いに対向しない側の側面３３ａと、前端面３３ｂ（図３および図４参照）を覆うように構成されている。また、図１および図２に示すように、カバー部材５の内部に内部部材２が挿入されると、カバー部５の前側の開口部５３ａからフック部２１とインナー部３１の一部が前方に露出するように構成されている。
【００２２】
図４（ｂ）および図５に示すように、筒状部５１には、後端部近傍の下側で、固定部３４の空部３７の下側と対向する位置に切欠き部５４が形成されている。筒状部５１に切欠き部５４が形成されていることにより、固定部３４と嵌合する固定部材６がカバー部材５と干渉しないように構成されている。
【００２３】
また、図３乃至図５に示すように、筒状部５１の内周面には、内部部材２の位置決め溝部４１，４１…とそれぞれ嵌合可能で、内側に突出して前後方向に延びる位置決め突条５５，５５…が形成されている。これらの位置決め突条５５，５５…は、位置決め溝部４１，４１…に対応して、筒状部５１の内周面の右側および左側の部分にそれぞれ上下方向に間隔をあけて２ずつ４つ設けられている。
本実施形態では、４つの位置決め突条５５，５５…のうち、上側に配された位置決め突条５５，５５の方が下側に配された位置決め突条５５，５５よりも筒状部５１の内周面からの突出寸法が大きく、内部部材２の位置決め溝部４１，４１…の底部も、それぞれ嵌合する位置決め突条５５，５５に対応した位置に配されている。
このように構成されていることにより、内部部材２をカバー部材５に挿入する際に、位置決め溝部４１，４１…に位置決め突条５５，５５…が嵌合することで、内部部材２をカバー部材５に上下逆に挿入することを防止することができる。
【００２４】
また、図４（ｂ）および図５に示すように、筒状部５１の内周面には、上側の部分に固定部材６の一対の第１突起部６２，６２の先端部６２ａ，６２ａとそれぞれ係合可能な一対のカバー部材側固定用爪部５６，５６が形成されている。一対のカバー部材側固定用爪部５６，５６の前側にそれぞれ第１突起部６２，６２の先端部６２ａ，６２ａが配されることで、カバー部材５と固定部材６とが前後方向に離間しないように構成されている。
また、筒状部５１の内周面には、前側の開口部５３ａ近傍に複数のカバー部材側仮固定用爪部５７，５７…が形成されている。内部部材２をカバー部材５に挿入すると、カバー部材側仮固定用爪部５７，５７…と内部部材側仮固定用爪部４２とが係合し、内部部材２とカバー部材５とが仮固定されるように構成されている。
【００２５】
図３乃至図５に示すように、固定部材６は、ビスなどの固定具（不図示）で壁面１１（図１および図２参照）に固定されるように構成されている。固定部材６は、後端部６ａが壁面１１と当接し、前部側が内部部材２の固定部３４の空部３７（図４および図５参照））に嵌合し、前端部６ｂが内部部材２の本体部３２の後面３２ａと当接するように構成されている。固定部材６の縁部には、内部部材２の固定部３４の固定溝部３７ａ（図４および図５参照）に嵌合可能な固定凸部６１が形成されている。
本実施形態では、カバー部材５が仮固定された内部部材２が上側からスライドして固定部材６に嵌合するように構成されている。
【００２６】
また、固定部材６には、固定凸部６１の上面から上方に突出し左右方向に間隔をあけて配置された一対の第１突起部６２，６２と、一対の第１突起部６２，６２の間に一対の第１突起部６２，６２と間隔をあけて配置された第２突起部６３と、を有している。
そして、カバー部材５が仮固定された内部部材２が固定部材６に固定されると、一対の第１突起部６２，６２は、内部部材２の固定部３４の第１孔部３９，３９にそれぞれ下側から挿入されて先端部６２ａ，６２ａが上側に貫通し、先端部６２ａ，６２ａがカバー部材５のカバー部材側固定用爪部５６，５６とそれぞれ係合するように構成されている。
また、第２突起部６３は、内部部材２の固定部３４の第２孔部４０に下側から挿入されて先端部６３ａが上側に貫通し、先端部６３ａが固定部３４の第１壁部３６と係合するように構成されている。
【００２７】
次に、本実施形態によるシャワーフック１の壁面１１への取付方法について説明する。
まず、壁面１１の所定の位置に固定部材６をビスなどの固定具で固定する。
また、固定部材６の壁面１１への固定と前後して、カバー部材５の内部に内部部材２を挿入して、カバー部材５を内部部材２に仮固定する。
このとき、内部部材２の位置決め溝部４１，４１…とカバー部材５の位置決め突条５５，５５…とをそれぞれ嵌合させるとともに、内部部材側仮固定用爪部４２とカバー部材側仮固定用爪部５７とを係合させて、内部部材２にカバー部材５を仮固定する。
なお、カバー部材５の内部部材２への仮固定は、シャワーフック１を現場に搬入する前に工場などで行ってもよい。
【００２８】
続いて、カバー部材５が仮固定された内部部材２を固定部材６に固定する。
まず、固定部材６の上方から内部部材２およびカバー部材５をスライドさせて、内部部材２の固定部３４の空部３７に固定部材６を挿入させる。このとき、内部部材２の固定溝部３７ａに固定部材６の固定凸部６１を挿入させる。
【００２９】
また、固定部材６の第１突起部６２，６２を内部部材２の第１孔部３９，３９に挿入させるとともに、第１突起部６２，６２の先端部６２ａ，６２ａをカバー部材側固定用爪部５６，５６と係合させる。
同時に、固定部材６の第２突起部６３を内部部材２の第２孔部４０に挿入させ、第２突起部６３の先端部６３ａと内部部材２の固定部３４の第１壁部３６とを係合させる。
このようにすることにより、内部部材２およびカバー部材５と固定部材６とが前後方向に離間することが防止される。
【００３０】
続いて、フック部２１のインナー部３１に対する角度を調整する。このとき、角度調整溝部２４，２４…のうちの１つをインナー部３１の角度調整突条３５に嵌合させる。なお、フック部２１のインナー部３１に対する角度調整は、カバー部材５を内部部材２に仮固定する前など所望の時点で行ってもよい。もちろん、使用者がシャワーを使用する際に自由にフック部２１の角度調整をすることもできる。
このようにして、シャワーフック１が壁面１１へ固定される。
【００３１】
次に、上述した本実施形態によるシャワーフック１の作用・効果について図面を用いて説明する。
上述した本実施形態によるシャワーフック１では、カバー部材５は、フック部２１が設けられている前側から内部部材２に装着されることにより、内部部材２のフック支持部３３の側面３３ａに加えて前端面３３ｂを覆うことができるため、内部部材２とカバー部材５との間に隙間が生じることを防止することができる。
そして、内部部材２とカバー部材５との間に隙間が生じることを防止することができることにより、内部部材２とカバー部材５との間に水や石鹸が入り込みにくくなるとともに、美観に優れたシャワーフック１とすることができる。
また、カバー部材５が内部部材２のフック支持部３３の側面３３ａだけでなく前端面３３ｂも覆うことができることにより、従来のシャワーフックよりも内部部材２がカバー部材５にしっかりと覆われている構造となるため、シャワーフック１自体の剛性を高めることができる。
【００３２】
また、内部部材２およびカバー部材５は、内部部材２にカバー部材５が装着された状態で壁面１１に固定された固定部材６とそれぞれ係合可能に構成されていることにより、内部部材２およびカバー部材５がそれぞれ固定部材６と係合して壁面１１に固定されるため、カバー部材５が内部部材２から外れることを防止することができる。例えば、使用者が不意の動作で壁面１１に固定されたシャワーフック１のカバー部材５をつかんだとしても、カバー部材５が壁面１１から外れる虞がない。
また、固定部材６によって内部部材２およびカバー部材５を壁面１１に固定することができるため、内部部材２およびカバー部材５を壁面１１に容易に固定することができる。
また、内部部材２およびカバー部材５がそれぞれ壁面１１に固定されることにより、カバー部材５がフック部２１を支持する必要がないため、カバー部材５がフック部２１を支持する従来のシャワーフックと比べて、カバー部材５の薄肉化および軽量化を図ることができる。
【００３３】
また、内部部材２は、フック部２１とインナー部３１とが別に設けられていることにより、フック部２１およびインナー部３１をそれぞれ最適な形態に形成することができる。
例えば、インナー部３１を弾性変形可能な材料で形成し、インナー部３１がフック部２１を挟持して支持する形態とすることにより、ビスなどの固定具を使用せずにインナー部３１がフック部２１を支持することができる。
また、カバー部材５が弾性変形してフック部２１を挟持する従来のシャワーフックと比べて、カバー部材５を弾性変形させることがないため、カバー部材５がメッキされている場合でも、弾性変形によってメッキが剥がれるという虞がなく、美観を長期に亘って保つことができる。
【００３４】
また、カバー部材５と内部部材２とは、仮固定可能に構成されていることにより、カバー部材５と内部部材２とを仮固定した状態で壁面１１に容易に固定することができる。
また、工場などでカバー部材５と内部部材２とを仮固定することにより、カバー部材５と内部部材２とが離間することがないため、シャワーフック１の搬送や保管を容易かつ確実に行うことができる。
また、現場において内部部材２とカバー部材５とを組み立てる必要がないため、間違って組み立てられる虞がない。
【００３５】
以上、本発明によるシャワーフック１の実施形態について説明したが、本発明は上記の実施形態に限定されるものではなく、その趣旨を逸脱しない範囲で適宜変更可能である。
例えば、上記の実施形態では、内部部材２およびカバー部材５は、内部部材２がカバー部材５に挿入された状態で壁面１１に固定された固定部材６とそれぞれ係合可能に構成されているが、固定部材６を用いないで、内部部材２およびカバー部材５を壁面１１に固定してもよい。また、固定部材６が内部部材２およびカバー部材５を壁面１１に固定する固定機構は、上記以外の形態であってもよい。
また、内部部材２とカバー部材５のいずれか一方だけが固定部材６と係合可能に構成されていてもよい。
また、上記の実施形態では、内部部材２は、フック部２１とフック部２１と別に形成されたインナー部３１を有する構成であるが、フック部２１とインナー部３１とが一体に形成されていてもよい。また、上記の実施形態では、内部部材２は、インナー部３１がフック部２１を挟持して支持する構成であるが、インナー部３１がフック部２１を支持する構成は上記以外でもよい。
【００３６】
また、上記の実施形態では、フック部２１は、インナー部３１に対して角度調整可能に構成されているが、インナー部３１に対するフック部２１の角度が固定された構成としてもよい。また、インナー部３１に対するフック部２１の角度調整機構は、上記の実施形態以外の形態としてもよい。
また、上記の実施形態では、内部部材２とカバー部材５とは、仮固定可能に構成されているが、このような構成でなくてもよい。また、内部部材２とカバー部材５との仮固定機構は、上記の実施形態以外の形態としてもよい。
また、上記の実施形態では、内部部材２をカバー部材５に挿入する際に、内部部材２の位置決め溝部４１，４１…とカバー部材５の位置決め突条５５，５５…とをそれぞれ嵌合させる構成であるが、このような構成でなくてもよい。
また、上記の実施形態では、シャワーフック１は、浴室などの壁面１１に固定されているが、これ以外の場所に取り付けられていてもよい。例えば、上下方向に延在するスライドバーなどに取り付けて、スライドバーに沿って上下方向に移動可能としてもよい。
【符号の説明】
【００３７】
１  シャワーフック
２  内部部材
５  カバー部材
６  固定部材
１１  壁面（固定箇所）
２１  フック部
３１  インナー部
【図１】
2015135016.tif 000003
【図２】
2015135016.tif 000004
【図３】
2015135016.tif 000005
【図４】
2015135016.tif 000006
【図５】
2015135016.tif 000007